(57)【要約】      （修正有）【課題】通紙ドロー、ドライヤー温度ともに完全に自動で設定し操作員の作業軽減、作業ミスをなくすために、操業状態に応じて通紙ドローの上限値ならびにドライヤー温度の設定値を変更することで安定して紙切れの少ない通紙装置を提供する。【解決手段】シート材の張力を調整しながら機械に送り込む通紙装置において、後段ドライヤー温度設定器２１の信号と後段ドライヤー通紙温度設定器２６の信号を入力する後段ドライヤー温度設定判別器２７と、後段ドライヤー温度検出器２２の信号を入力する最大通紙ドロー設定器２５と、通紙ドロー設定器１６の信号と最大通紙ドロー設定器２５との信号を入力する通紙ドロー判別器２８とを備えたもの。【選択図】図１
2008184703.tif 000002
【特許請求の範囲】
【請求項１】
複数のロールでシートを搬送する前段ドライヤーロール群（３）と、複数のロールでシートを搬送する後段ドライヤーロール群（８）と、搬送されるシートを巻取る巻取り装置（２４）と、シート近傍に設けられ紙切れを検出する紙切れ検出装置（１９、２０）と、後段ドライヤー温度を検出する後段ドライヤー温度検出器（２２）と、後段ドライヤー温度設定器（２１）と、前記後段ドライヤー温度設定器（２１）の設定値と前記後段ドライヤー温度検出器（２２）の検出値の偏差を入力して後段ドライヤー温度を調整する後段ドライヤー温度制御器（２３）とを備えシート材の張力を調整しながら機械に送り込む通紙装置において、
後段ドライヤー温度設定器（２１）の信号と後段ドライヤー通紙温度設定器（２６）の信号を入力する後段ドライヤー温度設定判別器（２７）と、
前記後段ドライヤー温度検出器（２２）の信号を入力する最大通紙ドロー設定器（２５）と、
通紙ドロー設定器（１６）の信号と前記最大通紙ドロー設定器（２５）との信号を入力する通紙ドロー判別器（２８）とを備えたことを特徴とする通紙装置。
【請求項２】
前記最大通紙ドロー設定器（２５）は、前記通紙ドロー設定器（１６）と前記通紙ドロー判別器（２８）とを接続する通紙リレー（１７、１７Ａ）の出力がオンされた状態で前記後段ドライヤー温度検出器（２２）の状態を入力することを特徴とする請求項１記載の通紙装置。
【請求項３】
前記最大通紙ドロー設定器（２５）は、後段ドライヤー温度と最大通紙ドロー値にかんする関数を備え通紙状態になったときは当該後段ドライヤー温度での最大通紙ドローの値を前記通紙ドロー判別器（２８）へ出力することを特徴とする請求項１記載の通紙装置。
【請求項４】
前記通紙ドロー判別器（２８）は最大通紙ドロー値と前記通紙ドロー設定器（１６）からの出力を比較してどちらか小さい値を選別することを特徴とする請求項１記載の通紙装置。
【請求項５】
操業開始時の通紙ドロー設定がそのままになっている状態で運転に入り、後段ドライヤー（７）の温度が上昇した状態で紙が切れた後の通紙においても後段ドライヤー温度検出器（２２）から最大通紙ドローを設定することを特徴とする請求項１記載の通紙装置。  
【請求項６】
通紙状態において、前記後段ドライヤー温度設定判別器（２７）は、後段ドライヤー温度設定器（２１）と後段ドライヤー通紙温度設定器（２６）の温度の内小さい値を選別し前記後段ドライヤー温度制御器（２３）へ出力することを特徴とする請求項１記載の通紙装置。
【請求項７】
ドロー加減速設定器１３は運転ドロー設定器（１４）または通紙ドロー設定器（１６）のどちらか一方の信号を入力し当該ドロー設定値の数値をショックなく滑らかに変更するドロー加減速設定器（１３）を備えたことを特徴とする請求項１記載の通紙装置。
【発明の詳細な説明】
【技術分野】
【０００１】
本発明は、シート材を張力調整しながら送り込む通紙装置の抄紙機ドライヤーにおいて操業開始ならびに紙切れ後の通紙を安定的に実施できる通紙装置に関する。
【背景技術】
【０００２】
従来、紙、フィルムなどのシート材を扱う加工機は操業前に材料を通す通紙作業がある。通紙作業は加工機の機側にある操作盤に付いている押しボタン、可変抵抗器等を運転員が操作することによって行われている。
図２に従来の抄紙機ドライヤー通紙装置を示す。図２において、１は紙、２は前段ドライヤー、３は前段ドライヤーロール群、４は前段ドライヤー駆動電動機、５は前段ドライヤー速度検出器、６は前段ドライヤー電動機制御装置、７は後段ドライヤー、８は後段ドライヤーロール群、９は後段ドライヤー駆動電動機、１０は後段ドライヤー速度検出器、１１は後段ドライヤー電動機制御装置、１２はライン速度設定器、１３はドロー加減速設定器、１４は運転ドロー設定器、１５は運転リレー、１５Ａは運転でＯＮなる接点、１６は通紙ドロー設定器、１７は通紙リレー、１７Ａは通紙でＯＮなる接点、１８は運転状態判別器、１９は紙切れ検出光電管発信器、２０は紙切れ検出光電管受信器、２１は後段ドライヤー温度設定器、２２は後段ドライヤー温度検出器、２３は後段ドライヤー温度制御器、２４は巻取り装置である。
【０００３】
次に動作を説明する。抄紙機においては基材である紙１が図面矢印の方向に流れ、巻取り装置２４に巻取られている。前段ドライヤー２ならびに後段ドライヤー７は複数のロールで紙１を搬送している。前段ドライヤーロール群３は前段ドライヤー駆動電動機４と減速機（不図示）で連結されている。後段ドライヤーロール群８は後段ドライヤー駆動電動機９と連結されている。前段ドライヤー駆動電動機４は前段ドライヤー速度検出器５を速度検出信号として前段ドライヤー電動機制御装置６で速度制御されている。後段ドライヤー駆動電動機９は後段ドライヤー速度検出器１０を速度検出信号として後段ドライヤー電動機制御装置１１で速度制御されている。
【０００４】
図２ではライン速度設定器１２は速度指令信号をドライヤー電動機制御装置に与えている。後段ドライヤー７は紙１に適正な張力を与えるため、前段ドライヤーの速度指令にある一定の比率（以下ドローと呼ぶ）を掛けている。通常は紙１に張力を与える方向であるのでドローは１より大きい値である。（図２は前段ドライヤーを速度基準としているが後段ドライヤーを速度基準として構成する場合はドローを１より小さい値として設定することも可能である）このドローは通紙状態と運転状態で別個の設定をもつ。抄紙機の通紙においては作業を容易にするために紙の幅を細く（図２では手前側数十センチ）している。この細幅紙（以下リーダーと呼ぶ）がドライヤー下流の巻取り部分（不図示）に到達してのち、操作員の判断で紙の幅を広げる。これにはドライヤー上流の紙幅広げ装置（不図示）が使われる。この作業で紙が所定の幅になった後、通常の生産運転（単に運転と略す）に入る。通紙の時のドローについては通紙ドロー設定器１６、運転のそれについては運転ドロー設定器１４に設定されている。
【０００５】
紙幅については紙切れ検出光電管発信器１９と紙切れ検出光電管受信器２０において検出される。光電管は紙幅がある程度以上になったとき遮光される。この信号は運転状態判別器１８に入力される。光電管を遮光した状態で紙が巻取り装置２４に到達した時点で運転リレー１５をＯＮ状態にし、通紙リレー１７をＯＦＦにする。反対に運転中に紙が切れた場合は運転リレー１５をＯＦＦ、通紙リレーをＯＮにする。
この運転状態判別器１８の出力である運転リレー１５および通紙リレー１７の出力接点で通紙時には通紙ドロー設定器１６の数値を使い、紙幅が広がって運転状態に入った後運転ドロー設定器１４の値に移行する。ドロー加減速設定器１３は運転ドロー設定器１４と通紙ドロー設定器１６の設定値切替えにおけるショックなく滑らかに変更するために存在している。
図２で後段ドライヤー７は後段ドライヤー温度制御器２３を持っており、後段ドライヤー温度設定器２１の設定値と後段ドライヤー温度検出器２２の検出温度の偏差に基づいて温度制御を行っている。また、前段ドライヤーも同様な温度制御を行っているが本発明の説明には関係ないので省略する。
このように従来の通紙装置は通紙ドローと運転ドローを設定し、その状態において適宜数値を変更するようにして紙を生産している（特許文献１参照）。
【特許文献１】特開平３−２４９０５２号公報
【発明の開示】
【発明が解決しようとする課題】
【０００６】
従来の通紙装置では通紙ドローならびに運転ドローは操作員が手動設定するかもしくは制御装置にあらかじめインプットしている数値を使っていた。インプットされているドローの数値についても操作員は紙の状態を見ながら修正していた。通常の操業開始時はドライヤーの温度が低いので紙の乾燥量が少なく、従って紙のヤング率が低い。そのためドローを多くとることで張力を上げ、たるみ発生による紙切れを防止している。その後通紙が完了して運転状態に入ってから紙幅を広げるため、紙幅に応じて手動ならびに自動でドローを下げているのが普通である。その後、ドライヤーの温度を所定の温度まで上昇させ製品をつくっている。ところが生産運転中、つまりドライヤー温度が所定の温度まで上がっている場合に紙切れで再度通紙するときもある。この時にはドライヤー温度が高く、紙の乾燥量が多いため、操業開始時のような通紙ドローを設定すると紙のヤング率が高いためその張力が破断張力を超えてしまい、リーダー切れが発生し通紙がうまくいかないことが多かった。また、操作員は通紙を完了し、生産復帰のためのドロー操作に集中し、ドライヤー温度に注意することができないこともあった。
【０００７】
本発明はこのような問題点に鑑みてなされたものであり、操業状態に応じて通紙ドローの上限値ならびにドライヤー温度の設定値を変更することで安定して紙切れの少ない通紙装置を提供し、通紙ドロー、ドライヤー温度ともに完全に自動で設定し操作員の作業軽減、作業ミスをなくすことを目的とする。
【課題を解決するための手段】
【０００８】
上記問題を解決するため、本発明は、次のように構成したのである。
本発明は、複数のロールでシートを搬送する前段ドライヤーロール群（３）と、複数のロールでシートを搬送する後段ドライヤーロール群（８）と、搬送されるシートを巻取る巻取り装置（２４）と、シート近傍に設けられ紙切れを検出する紙切れ検出装置（１９、２０）と、後段ドライヤー温度を検出する後段ドライヤー温度検出器（２２）と、後段ドライヤー温度設定器（２１）と、前記後段ドライヤー温度設定器（２１）の設定値と前記後段ドライヤー温度検出器（２２）の検出値の偏差を入力して後段ドライヤー温度を調整する後段ドライヤー温度制御器（２３）とを備えシート材の張力を調整しながら機械に送り込む通紙装置において、
後段ドライヤー温度設定器（２１）の信号と後段ドライヤー通紙温度設定器（２６）の信号を入力する後段ドライヤー温度設定判別器（２７）と、前記後段ドライヤー温度検出器（２２）の信号を入力する最大通紙ドロー設定器（２５）と、通紙ドロー設定器（１６）の信号と前記最大通紙ドロー設定器（２５）との信号を入力する通紙ドロー判別器（２８）とを備えたものである。
また本発明は請求項１において、前記最大通紙ドロー設定器（２５）は、前記通紙ドロー設定器（１６）と前記通紙ドロー判別器（２８）とを接続する通紙リレー（１７、１７Ａ）の出力がオンされた状態で前記後段ドライヤー温度検出器（２２）の状態を入力することを特徴とするものである。
また本発明は請求項１において、前記最大通紙ドロー設定器（２５）は、後段ドライヤー温度と最大通紙ドロー値にかんする関数を備え通紙状態になったときは当該後段ドライヤー温度での最大通紙ドローの値を前記通紙ドロー判別器（２８）へ出力することを特徴とするものである。
また本発明は請求項１において、前記通紙ドロー判別器（２８）は最大通紙ドロー値と前記通紙ドロー設定器（１６）からの出力を比較してどちらか小さい値を選別することを特徴とするものである。
また本発明は請求項１において、操業開始時の通紙ドロー設定がそのままになっている状態で運転に入り、後段ドライヤー（７）の温度が上昇した状態で紙が切れた後の通紙においても後段ドライヤー温度検出器（２２）から最大通紙ドローを設定することを特徴とするものである。  
また本発明は請求項１において、通紙状態において、前記後段ドライヤー温度設定判別器（２７）は、後段ドライヤー温度設定器（２１）と後段ドライヤー通紙温度設定器（２６）の温度の内小さい値を選別し前記後段ドライヤー温度制御器（２３）へ出力することを特徴とするものである。
また本発明は請求項１において、ドロー加減速設定器１３は運転ドロー設定器（１４）または通紙ドロー設定器（１６）のどちらか一方の信号を入力し当該ドロー設定値の数値をショックなく滑らかに変更するドロー加減速設定器（１３）を備えたことを特徴とするものである。
【発明の効果】
【０００９】
本発明によると、通紙時のドローを適切に設定することが可能になり、通紙時の紙切れ発生を減少させ安定した通紙装置を提供できる。また、通紙時に温度設定を変更することにより、例えば温度設定が高すぎる場合は所定の温度まで下げることで省エネルギーに寄与することができる。通紙ドロー、ドライヤー温度ともに完全に自動で設定されるために操作員の作業軽減、作業ミスをなくすことができる。
【発明を実施するための最良の形態】
【００１０】
以下、本発明の実施の形態について図を参照して説明する。
【実施例１】
【００１１】
図１は、本発明の通紙装置の実施図である。図１において、１は紙、２は前段ドライヤー、３は前段ドライヤーロール群、４は前段ドライヤー駆動電動機、５は前段ドライヤー速度検出器、６は前段ドライヤー電動機制御装置、７は後段ドライヤー、８は後段ドライヤーロール群、９は後段ドライヤー駆動電動機、１０は後段ドライヤー速度検出器、１１は後段ドライヤー電動機制御装置、１２はライン速度設定器、１３はドロー加減速設定器、１４は運転ドロー設定器、１５は運転リレー、１５Ａは運転でＯＮなる接点、１６は通紙ドロー設定器、１７は通紙リレー、１７Ａは通紙でＯＮなる接点、１８は運転状態判別器、１９は紙切れ検出光電管発信器、２０は紙切れ検出光電管受信器、２１は後段ドライヤー温度設定器、２２は後段ドライヤー温度検出器、２３は後段ドライヤー温度制御器、２４は巻取り装置、２５は最大通紙ドロー設定器、２６は後段ドライヤー通紙温度設定器、２７は後段ドライヤー温度設定判別器、２８は通紙ドロー判別器である。本発明の図１が従来の技術の図２と異なる部分は、最大通紙ドロー設定器２５、後段ドライヤー通紙温度設定器２６、後段ドライヤー温度設定判別器２７、通紙ドロー判別器２８を備えている点にある。ドロー加減速設定器１３は運転ドロー設定器１４と通紙ドロー設定器１６を切替えたときにショックを防ぐため、階段状に変化する数値を時限で滑らかに変化させる機能を有している。ドロー加減速設定器１３は例えばランプ関数またはＳ字曲線とすることができる。
【００１２】
次に動作を説明する。本図では図２と同じ名称には同一符号を付け重複説明を省略する。図１において新たに最大通紙ドロー設定器２５が設置されている。この最大通紙ドロー設定器２５は通紙リレー１７の出力がＯＮされた状態で後段ドライヤー温度検出器２２の状態を入力として受け付ける。この最大通紙ドロー設定器２５の中には後段ドライヤー温度を横軸(Ｘ)、最大通紙ドロー値を縦軸(Ｙ)としてあらかじめ関数が設定されている。従って、通紙状態になったときはそのときの後段ドライヤー温度での最大通紙ドローが出力される。この最大通紙ドロー値と通紙ドロー設定器１６からの出力を比較して小さい値を選別するのが通紙ドロー判別器２８である。つまり、操業開始時の通紙ドロー設定がそのままになっている状態で運転に入り、後段ドライヤー７の温度が上昇した状態で紙が切れた後の通紙においても後段ドライヤー温度検出器２２から最大通紙ドローを設定し、紙が切れないドローに変更することで安定した通紙が実現される。
【００１３】
一方、通紙中は紙がリーダー状態であるために温度制御をそのままにするとリーダーは過剰に過熱され過度に縮んで固くなり、より切れやすくなる。従って、通紙状態においては温度を紙の収縮を考えた温度まで下げられるように後段ドライヤー通紙温度設定器２６を追加している。通紙状態でこの指令器は有効になり後段ドライヤー温度設定器２１と後段ドライヤー通紙温度設定器２６の温度は後段ドライヤー温度設定判別器２７でその小さい値が選別される。このようにして通紙時の温度を制限することでリーダー部の過剰過熱による収縮が抑制され、通紙時の紙切れを低減することが可能になる。
なお、運転中の紙切れ時においては通紙ドロー設定器１６のドロー設定と後段ドライヤー温度が同時に変更されるが後段ドライヤー温度制御器２３の時定数が大きいので制御が干渉することはない。
【図面の簡単な説明】
【００１４】
【図１】本発明の通紙装置の構成図
【図２】従来の通紙装置の構成図
【符号の説明】
【００１５】
１  紙
２  前段ドライヤー
３  前段ドライヤーロール群
４  前段ドライヤー駆動電動機
５  前段ドライヤー速度検出器
６  前段ドライヤー電動機制御装置
７  後段ドライヤー
８  後段ドライヤーロール群
９  後段ドライヤー駆動電動機
１０  後段ドライヤー速度検出器
１１  後段ドライヤー電動機制御装置
１２  ライン速度設定器
１３  ドロー加減速設定器
１４  運転ドロー設定器
１５  運転リレー
１５Ａ  運転でＯＮなる接点
１６  通紙ドロー設定器
１７  通紙リレー
１７Ａ  通紙でＯＮなる接点
１８  運転状態判別器
１９  紙切れ検出光電管発信器
２０  紙切れ検出光電管受信器
２１  後段ドライヤー温度設定器
２２  後段ドライヤー温度検出器
２３  後段ドライヤー温度制御器
２４  巻取り装置
２５  最大通紙ドロー設定器
２６  後段ドライヤー通紙温度設定器
２７  後段ドライヤー温度設定判別器
２８  通紙ドロー判別器
【図１】
2008184703.tif 000003
【図２】
2008184703.tif 000004